【手続補正書】
【提出日】平成19年2月20日(2007.2.20)
【手続補正１】
【補正対象書類名】特許請求の範囲
【補正対象項目名】全文
【補正方法】変更
【補正の内容】
【特許請求の範囲】
【請求項１】
対向配置された前面基板と背面基板の各々の内面側に少なくとも一つずつ形成されて、対向表示放電を行う２個の電極と、該２個の電極を少なくとも部分的に覆う誘電体膜と、放電ガスと、該放電ガスの放電で発生する紫外線による励起で可視光を発光する蛍光膜とを、各々が少なくとも備えた複数個の放電セルと、該複数個の放電セルの間を区画する隔壁層とを備えたプラズマディスプレイパネルにおいて、
前記隔壁層は、前記前面基板及び背面基板とは別体のシート状に形成されており、該複数個の放電セルで各々の放電空間を形成する複数の開口が設けられ、該複数の開口の壁面には、前記蛍光膜が塗布されて、前記前面基板及び背面基板の間に挟持されており、
前記複数個の放電セルの一つによって占められる空間を、前記前面基板へ投影した時に得られる面積をS1とし、
該放電セルの一つからの前記可視光を前記前面基板の外に出射する、前記前面基板における窓部の面積をS2としたとき、0.1 ≦ S2／S1 ≦ 0.4を満たし、
前記放電ガスのガス圧力ｐと前記２個の電極の間の距離ｄの積pdが、100 Torr × mm ≦ pd ≦ 400 Torr × mmを満たし、且つｄ ≧ 0.2 mmを満たすことを特徴とするプラズマディスプレイパネル。
【請求項２】
請求項１に記載のプラズマディスプレイパネルにおいて、前記隔壁層に設けられた前記複数の開口がストライプ状又は格子状を形成していることを特徴とするプラズマディスプレイパネル。
【請求項３】
請求項１に記載のプラズマディスプレイパネルにおいて、表示放電を維持するための、前記対向表示放電を行う2個の電極に印加される実効的電圧が、300V以下であることを特徴とするプラズマディスプレイパネル。
【請求項４】
請求項１に記載のプラズマディスプレイパネルにおいて、前記前面基板における窓部の間の間隙及び前記隔壁層の前記前面基板に面する面に黒色物質が形成されていることを特徴とするプラズマディスプレイパネル。
【請求項５】
請求項１に記載のプラズマディスプレイパネルにおいて、前記隔壁層に設けられた前記複数の開口の壁面が、前記前面基板の垂線に対して傾斜していることを特徴とするプラズマディスプレイパネル。
【請求項６】
請求項１に記載のプラズマディスプレイパネルにおいて、前記放電ガスがXeガスを含み、前記放電ガスの体積粒子（原子、分子）密度をngとし、前記Xeガスの体積粒子密度をnXeとし、前記放電ガスのXe組成比aXeをaXe = nXe/ngとして、前記放電ガスのXe組成比aXeが１２％以上、３０％以下であることを特徴とするプラズマディスプレイパネル。
【請求項７】
請求項１に記載のプラズマディスプレイパネルにおいて、前記隔壁層の主面に少なくとも一個のスリットが形成されていることを特徴とするプラズマディスプレイパネル。
【請求項８】
請求項１に記載のプラズマディスプレイパネルにおいて、前記前面基板側から見える、前記複数の放電セル内の前記背面基板及び前記２個の電極のうちの該背面基板に形成されている電極の面に、可視光の無反射層を設けることを特徴とするプラズマディスプレイパネル。
【請求項９】
請求項１に記載のプラズマディスプレイパネルにおいて、前記前面基板から見える前記複数の放電セル内の前記背面基板及び前記２個の電極のうちの該背面基板に形成されている電極の面に、紫外光及び可視光の反射層を設けることを特徴とするプラズマディスプレイパネル。
【請求項１０】
請求項１に記載のプラズマディスプレイパネルにおいて、前記対向表示放電を行う表示放電空間を取り囲む固体壁を表示放電空間内面とし、該表示放電空間内面のうち表示用の可視光が前記前面基板から外へ放射する面を放電開口面とし、前記表示放電空間内面のうち前記放電開口面以外の面である非開口面の表面反射率の平均値を非開口面反射率とし、上記非開口面反射率が８０％以上であることを特徴とするプラズマディスプレイパネル。
【手続補正２】
【補正対象書類名】明細書
【補正対象項目名】００１８
【補正方法】変更
【補正の内容】
【００１８】
本書において開示される発明のうち、代表的なものの概要を説明すれば、下記の通りである。
（１）  対向配置された前面基板と背面基板の各々の内面側に少なくとも一つずつ形成されて、対向表示放電を行う２個の電極と、該２個の電極を少なくとも部分的に覆う誘電体膜と、放電ガスと、該放電ガスの放電で発生する紫外線による励起で可視光を発光する蛍光膜とを、各々が少なくとも備えた複数個の放電セルと、該複数個の放電セルの間を区画する隔壁層とを備えたプラズマディスプレイパネルにおいて、前記隔壁層は、前記前面基板及び背面基板とは別体のシート状に形成されており、該複数個の放電セルで各々の放電空間を形成する複数の開口が設けられ、該複数の開口の壁面には、前記蛍光膜が塗布されて、前記前面基板及び背面基板の間に挟持されており、前記複数個の放電セルの一つによって占められる空間を、前記前面基板へ投影した時に得られる面積をS1とし、該放電セルの一つからの前記可視光を前記前面基板の外に出射する、前記前面基板における窓部の面積をS2としたとき、0.1 ≦ S2／S1 ≦ 0.4を満たし、前記放電ガスのガス圧力ｐと前記２個の電極の間の距離ｄの積pdが、100 Torr × mm ≦ pd ≦ 400 Torr × mmを満たし、且つｄ ≧ 0.2 mmを満たすことを特徴とするプラズマディスプレイパネル。
（２）  （１）に記載のプラズマディスプレイパネルにおいて、前記隔壁層に設けられた前記複数の開口がストライプ状を形成していることを特徴とするプラズマディスプレイパネル。
（３）  （１）に記載のプラズマディスプレイパネルにおいて、前記隔壁層に設けられた前記複数の開口が格子状を形成していることを特徴とするプラズマディスプレイパネル。
（４）  （１）に記載のプラズマディスプレイパネルにおいて、表示放電を維持するための、前記対向表示放電を行う2個の電極に印加される実効的電圧が、300V以下であることを特徴とするプラズマディスプレイパネル。
（５）  （１）に記載のプラズマディスプレイパネルにおいて、前記前面基板における窓部の間の間隙及び前記隔壁層の前記前面基板に面する面に黒色物質が形成されていることを特徴とするプラズマディスプレイパネル。
（６）  （２）に記載のプラズマディスプレイパネルにおいて、前記前面基板における窓部の間の間隙及び前記隔壁層の前記前面基板に面する面に黒色物質が形成されていることを特徴とするプラズマディスプレイパネル。
（７）  （３）に記載のプラズマディスプレイパネルにおいて、前記前面基板における窓部の間の間隙及び前記隔壁層の前記前面基板に面する面に黒色物質が形成されていることを特徴とするプラズマディスプレイパネル。
（８）  （１）に記載のプラズマディスプレイパネルにおいて、前記隔壁層に設けられた前記複数の開口の壁面が、前記前面基板の垂線に対して傾斜していることを特徴とするプラズマディスプレイパネル。
（９）  （２）に記載のプラズマディスプレイパネルにおいて、前記隔壁層に設けられた前記複数の開口の壁面が、前記前面基板の垂線に対して傾斜していることを特徴とするプラズマディスプレイパネル。
（１０）  （３）に記載のプラズマディスプレイパネルにおいて、前記隔壁層に設けられた前記複数の開口の壁面が、前記前面基板の垂線に対して傾斜していることを特徴とするプラズマディスプレイパネル。
（１１）  （１）に記載のプラズマディスプレイパネルにおいて、前記放電ガスがXeガスを含み、前記放電ガスの体積粒子（原子、分子）密度をngとし、前記Xeガスの体積粒子密度をnXeとし、前記放電ガスのXe組成比aXeをaXe = nXe/ngとして、前記放電ガスのXe組成比aXeが１２％以上、３０％以下であることを特徴とするプラズマディスプレイパネル。
（１２）  （４）に記載のプラズマディスプレイパネルにおいて、前記放電ガスがXeガスを含み、前記放電ガスの体積粒子（原子、分子）密度をngとし、前記Xeガスの体積粒子密度をnXeとし、前記放電ガスのXe組成比aXeをaXe = nXe/ngとして、前記放電ガスのXe組成比aXeが１２％以上、３０％以下であることを特徴とするプラズマディスプレイパネル。
（１３）  （１）に記載のプラズマディスプレイパネルにおいて、隔壁層を形成する材料の熱膨張係数を前記前面基板及び前記背面基板を形成する材料の熱膨張係数の80〜99％とすることを特徴とするプラズマディスプレイパネル。
（１４）  （１）に記載のプラズマディスプレイパネルにおいて、前記隔壁層の主面に少なくとも一個のスリットが形成されていることを特徴とするプラズマディスプレイパネル。
（１５）  （２）に記載のプラズマディスプレイパネルにおいて、前記隔壁層の主面に少なくとも一個のスリットが形成されていることを特徴とするプラズマディスプレイパネル。
（１６）  （３）に記載のプラズマディスプレイパネルにおいて、前記隔壁層の主面に少なくとも一個のスリットが形成されていることを特徴とするプラズマディスプレイパネル。
（1７）  （１）に記載のプラズマディスプレイパネルにおいて、前記前面基板側から見える、前記複数の放電セル内の前記背面基板及び前記２個の電極のうちの該背面基板に形成されている電極の面に、可視光の無反射層を設けることを特徴とするプラズマディスプレイパネル。
（１８）  （１）に記載のプラズマディスプレイパネルにおいて、前記前面基板から見える前記複数の放電セル内の前記背面基板及び前記２個の電極のうちの該背面基板に形成されている電極の面に、紫外光及び可視光の反射層を設けることを特徴とするプラズマディスプレイパネル。
（１９）  （１）に記載のプラズマディスプレイパネルにおいて、前記対向表示放電を行う表示放電空間を取り囲む固体壁を表示放電空間内面とし、該表示放電空間内面のうち表示用の可視光が前記前面基板から外へ放射する面を放電開口面とし、前記表示放電空間内面のうち前記放電開口面以外の面である非開口面の表面反射率の平均値を非開口面反射率とし、上記非開口面反射率が８０％以上であることを特徴とするプラズマディスプレイパネル。
（２０）  （１）に記載のプラズマディスプレイパネルを用いた画像表示システム。